(57)【要約】      （修正有）【課題】コネクタ抜け止め対策を保護ケースの空スペース、形状に依存することなく、省スペースで有効なコネクタ抜け止め効果が得られる基板コネクタ抜け止め治具およびその組立方法を提供する。【解決手段】隣接した脱着可能なＬ型コネクタ５間に挿入可能な凸形状の抜け止め治具７と、抜け止め治具７を基板ユニットＡの構成部品である支柱２にＬ型コネクタとともに結束する帯８とを備え、抜け止め治具７には凹形状の溝９を設けて、帯８の滑り外れを抑制する。Ｌ型コネクタ５間に凸形状抜け止め治具７を挿入することにより、基板ユニットＡのコネクタ配列上発生する空きスペースを有効に活用することが可能であり、凸形状抜け止め治具７は帯８により支柱２に結束され固定されることから、保護ケース１内のスペースを犠牲にすることなく基板ユニット単体で省スペースなコネクタ抜け止め手段を構成することができる。【選択図】図１
2006059688.tif 000002
【特許請求の範囲】
【請求項１】
支柱を介して塔状に構成された基板と、前記基板内に隣接して配置された固定側コネクタと、前記固定側コネクタに脱着可能な隣接した少なくとも２つのＬ型コネクタを有した基板ユニットにおいて、
前記隣接しているＬ型コネクタ間に挿入可能な凸形状の抜け止め治具と、その抜け止め治具を前記隣接しているＬ型コネクタとともに前記支柱に結束することにより前記隣接するＬ型コネクタを前記基板ユニットに固定する帯とを備えたことを特徴とする基板コネクタ抜け止め治具。
【請求項２】
前記凸形状の抜け止め治具は、前記隣接するＬ型コネクタ間に押込固定するものであることを特徴とする請求項１記載の基板コネクタ抜け止め治具。
【請求項３】
前記基板ユニットに固定する帯は、硬質ゴムのような伸縮性を有するゴム材から構成されていることを特徴とする請求項１または２に記載の基板コネクタ抜け止め治具。
【請求項４】
前記凸形状の抜け止め治具は、前記帯の滑り外れを抑制するため帯接触面に凹形状の溝が施され、前記帯が前記溝に噛み込む構造にしたことを特徴とする請求項１から３のいずれかの項に記載の基板コネクタ抜け止め治具。
【請求項５】
隣接して配置された固定側コネクタのそれぞれにＬ型コネクタを差し込み、次に凸形状の抜け止め治具を前記隣接するＬ型コネクタ間に差し込み、次に帯を凹形状の溝及び支柱に結束し、次にＬ型コネクタと一体となった基板ユニットを保護ケースに納めることを特徴とする基板コネクタ抜け止め治具の組立方法。
【発明の詳細な説明】
【技術分野】
【０００１】
本発明は、隣接して配置される脱着可能なコネクタを有する基板ユニットに容易かつ安価に取り付けでき、有効なコネクタ抜け止め効果が得られる基板コネクタ抜け止め治具およびその組立方法に関する。
【背景技術】
【０００２】
従来の基板コネクタ抜け止め対策は基板コネクタに発生する外部からの引っ張り力を抑制するため、基板ユニットを保護するケース内部に空きスペース施し、そのスペースにコネクタに発生する外力を吸収する治具等を取り付けられるように構成されている。また、基板が内蔵されるケース自体に、リードが引っ張られたときにコネクタが引き抜かれることを抑制する部位を一体化して構成しているものもある（例えば、特許文献１参照）。
図２及び図３に従来の基板コネクタ抜け止め治具の構成例をそれぞれ示す。
図２において、支柱２を介して塔状に構成された基板ユニットＡは、基板３を保護する保護ケース１１に内蔵される。基板３内に隣接して配置される固定側コネクタ４には脱着可能なＬ型コネクタ５が挿入され、Ｌ型コネクタ５より引き出されるリード６に発生する外部からの引っ張り力を吸収するために、リード６を把持する抜け止め対策部位１０を形成したリード把持片１３を設け、保護ケース１１の内部にネジ等で固定するようにしている。保護ケース１１の底壁と垂直に延びたリード６は、カバー１２に設けたリード取出穴１２ａから外部に取り出され、カバー１２は保護ケース１１に取り付けられる。
【０００３】
図３は従来の基板コネクタ抜け止め治具の他の例を示すもので、支柱２を介して塔状に構成された基板ユニットＡは、基板３を保護する保護ケース１４に内蔵される。基板３内に隣接して配置される固定側コネクタ４には脱着可能なＬ型コネクタ５が挿入され、Ｌ型コネクタ５より引き出されるリード６に発生する外部からの引っ張り力を吸収するために、リード６を装着する抜け止め対策部位１６をカバー１５に形成した半円状のリード取出穴１５ａの手前に設けている。基板ユニットＡを保護ケース１４に収納して固定し、リード６を、保護ケース１４に形成したリード取出穴１４ａから取り出した状態でカバー１５を被せ、固定すると、リード６が抜け止め対策部位１６に嵌り込んで、リード６が固定される。
このように、従来のコネクタ抜け止め治具は、Ｌ型コネクタ５より引き出されるリード６に発生する外部からの引っ張り力を、抜け止め対策部位１０、１６で吸収することにより、Ｌ型コネクタ５が基板３内の固定側コネクタ４より引き抜かれることを抑制するのである。
【０００４】
【特許文献１】特開平９−２６０８７０号公報（第３−４頁  図１）
【発明の開示】
【発明が解決しようとする課題】
【０００５】
しかしながら、従来の基板コネクタ抜け止め治具は、保護ケース自体あるいはカバーに抜け止め対策部位を設ける構造となっていて、抜け止め対策部位を設けるスペースを確保する必要があるため、基板を保護する保護ケースのコンパクト化に支障を及ぼすという問題があった。
また、保護ケースやカバー自体に、リードが引っ張られたときにコネクタが引き抜かれることを抑制する部位を一体化して構築するような場合は、保護ケースやカバーの形状が複雑となるので加工及び形成が難しいというような問題もあった。また、基板コネクタ抜け止め対策部位が、保護ケースやカバー自体に設けられているために、基板ユニットを納めた後に、保護ケースやカバーの限られたスペース内で基板コネクタの抜け止め対策を施す必要があり作業性が悪いというような問題もあった。
本発明は、このような問題を解決するためになされたもので、コネクタ抜け止め対策を保護ケースの空スペース、形状に依存することなく、省スペースで有効なコネクタ抜け止め効果が得られる基板コネクタ抜け止め治具およびその組立方法を提供することを目的とするものである。
【課題を解決するための手段】
【０００６】
上記問題を解決するため、本発明の第１の構成は、支柱を介して塔状に構成された基板と、前記基板内に隣接して配置された固定側コネクタと、前記固定側コネクタに脱着可能な隣接した少なくとも２つのＬ型コネクタを有した基板ユニットにおいて、前記隣接しているＬ型コネクタ間に挿入可能な凸形状の抜け止め治具と、その抜け止め治具を前記隣接しているＬ型コネクタとともに前記支柱に結束することにより前記隣接するＬ型コネクタを前記基板ユニットに固定する帯とを備えたことを特徴とする。
本発明の第２の構成は、前記凸形状の抜け止め治具は、前記隣接するＬ型コネクタ間に押込固定するものであることを特徴とする。
本発明の第３の構成は、前記基板ユニットに固定する帯は、硬質ゴムのような伸縮性を有するゴム材から構成されていることを特徴とする。
本発明の第４の構成は、前記凸形状の抜け止め治具は、前記帯の滑り外れを抑制するため帯接触面に凹形状の溝が施され、前記帯が前記溝に噛み込む構造にしたことを特徴とする。
本発明の第５の構成は、隣接して配置された固定側コネクタのそれぞれにＬ型コネクタを差し込み、次に凸形状の抜け止め治具を前記隣接するＬ型コネクタ間に差し込み、次に帯を凹形状の溝及び支柱に結束し、次にＬ型コネクタと一体となった基板ユニットを保護ケースに納めることを特徴とする基板コネクタ抜け止め治具の組立方法である。
【発明の効果】
【０００７】
本発明の第１の構成によれば、隣り合った脱着可能なＬ型コネクタ間に凸形状抜け止め治具を挿入することにより、基板ユニットのコネクタ配列上発生する空きスペースを有効に活用することが可能であり、凸形状抜け止め治具は帯により支柱に結束され固定されることから、保護ケース内のスペースを犠牲にすることなく基板ユニット単体で省スペースなコネクタ抜け止め手段を構成することができる。
本発明の第２の構成によれば、抜け止め治具を、隣接するＬ型コネクタ間に押し込むだけで、Ｌ型コネクタの間隔を保持することができる。
本発明の第３の構成によれば、帯をゴム材により構成することにより、結束力を長期にわたって持続することができ、振動等による緩みも生じにくい。
本発明の第４の構成によれば、凸形状抜け止め治具の帯接触面に施された凹形状の溝に帯が噛み込むことで帯の滑り外れを防止し、コネクタに発生するあらゆる方向からの引っ張り力を抑制することができる。
本発明の第５の構成によれば、基板ユニットがコネクタ抜け止め治具によりＬ型コネクタと一体となった上で保護ケースに納めることができるため、保護ケースへの基板ユニットの取り付け、取り外しが容易となり作業性を向上することができる
【発明を実施するための最良の形態】
【０００８】
以下、本発明の実施の形態を、図１を参照して説明する。
図１は、本発明の基板コネクタ抜け止め治具の構成を示す図で、（ａ）は全体の斜視図、（ｂ）は基板ユニットの拡大斜視図である。
図１において、複数の基板３を支柱２を介して塔状に積み重ねて構成された基板ユニットＡは、基板３を保護する保護ケース１に内蔵される。基板ユニットＡの下段の基板３には、隣接した固定側コネクタ４が配置され、Ｌ型コネクタ５は固定側コネクタ４にそれぞれ挿入される。Ｌ型コネクタ５間の空きスペースには凸形状の抜け止め治具７が押込まれ、支柱２とともに硬質ゴムのような伸縮性を有する帯８によって結束されて、Ｌ型コネクタ５を固定している。Ｌ型コネクタ５より引き出されるリード６は、保護ケース１内部より外部へと這いまわされ、カバー１２のリード取出穴１２ａから外部に引き出される。また、凸形状抜け止め治具７には、帯８が接触する面に凹形状の溝９が施されており、帯８は溝９に噛み込むように構成されている。
【０００９】
次に、上記構成の基板コネクタ抜け止め治具の組立方法を説明する。
基板ユニットＡの下段の基板３に隣接して配置された固定側コネクタ４に、Ｌ型コネクタ５をそれぞれに挿入する。次いで、Ｌ型コネクタ５間の隙間に凸形状抜け止め治具７を押込み、基板ユニットＡの構成部品の一部である支柱２とともに帯８によりＬ型コネクタ５を結束する。この際、帯８は凸形状抜け止め治具の帯接触面に施された凹形状の溝９に噛み込む。これにより、リード６に発生する引っ張り力によって、コネクタ接合部に斜め方向に外力が発生した場合でも、帯８の滑り外れが抑制される。また、抜け止め治具７は基板ユニットＡ自体に固定されるため、保護ケース１より基板ユニットＡを取り付け、取り外しする際も、コネクタ抜けが発生することが無く、コネクタの取り外しも帯８を切断することで容易に脱着することが可能である。
帯８としては、ゴム材のほか、例えばインシュロック（登録商標）等のプラスチック製の帯を使用することもできる。
【産業上の利用可能性】
【００１０】
本発明は、基板ユニットが内蔵される保護ケース内のスペースを犠牲にすることなく、単純な凸形状治具と安価な帯を用いて有効なコネクタ抜け止め効果が得られることから、小型で安価な電気機器の分野において好適に利用することができる。
【図面の簡単な説明】
【００１１】
【図１】本発明の実施の形態を示す基板コネクタ抜け止め治具の構成図であり、（ａ）は全体の斜視図、（ｂ）は基板ユニットの拡大斜視図である。
【図２】従来の基板コネクタ抜け止め治具の構成例を示す斜視図である。
【図３】従来の基板コネクタ抜け止め治具の他の構成図を示す斜視図である。
【符号の説明】
【００１２】
Ａ  基板ユニット
１  保護ケース
２  支柱
３  基板
４  固定側コネクタ
５  Ｌ型コネクタ
６  Ｌ型コネクタより引き出されるリード
７  凸形状コネクタ抜け止め治具
８  帯
９  溝
１２  カバー
１２ａ  リード取出穴
【図１】
2006059688.tif 000003
【図２】
2006059688.tif 000004
【図３】
2006059688.tif 000005